(57)【要約】      （修正有）【課題】ロック操作部材を口栓部材の周方向にスライドさせることによって、蓋部材を閉状態にロックしたり、そのロックを解除したりするタイプの飲料容器の栓体において、ロック操作やロック解除操作を行いやすくした飲料容器の栓体を提供する。【解決手段】容器本体ＣＢに螺着される内側部材及び内側部材を覆うように、所定間隔を開けて上下に配置された上側環状部１３ａ及び下側環状部１３ｂを有する外側部材１３を備えた口栓部材１０と、口栓部材１０にヒンジを介して開閉可能に取り付けられた蓋部材２０と、蓋部材２０を開閉させる開閉機構３０と、蓋部材２０を閉状態にロックする環状のロック操作部材４１を有するロック機構４０とを備え、ロック操作部材４１は、外側部材１３の上側環状部１３ａと下側環状部１３ｂとに挟み込まれた状態で、ロック位置とロック解除位置との間で、内側部材の外周面を周方向にスライド可能に支持されている。【選択図】図１
0003193262.tif 000002
【実用新案登録請求の範囲】
【請求項１】
容器本体に装着される口栓部材と、
前記口栓部材にヒンジを介して開閉可能に取り付けられた蓋部材と、
前記蓋部材を開閉させる開閉機構と、
前記蓋部材を閉状態にロックするロック機構とを備え、
前記ロック機構は、ロック位置とロック解除位置との間で、周方向にスライド可能に前記口栓部材に取り付けられたロック操作部材を有し、
前記ロック操作部材の外周面は、前記口栓部材の全周の１／２以上が露出していることを特徴とする飲料容器の栓体。
【請求項２】
前記ロック操作部材は、外周面における露出部分に、凹部、凸部または凹凸部が形成されている請求項１に記載の飲料容器の栓体。
【請求項３】
前記口栓部材は、前記容器本体に螺着される内側部材と、前記内側部材を覆う外側部材とを備えており、
前記外側部材は、所定間隔を開けて上下に配置され、外周面側で部分的に連結された上側環状部及び下側環状部を有し、
前記ロック操作部材は、前記外側部材の上側環状部と下側環状部とに挟み込まれた状態で前記内側部材の外周面をスライド可能に支持されている請求項１または２に記載の飲料容器の栓体。
【請求項４】
前記ロック操作部材は、環状に形成されている請求項１、２または３に記載の飲料容器の栓体。
【請求項５】
前記ロック操作部材をロック位置及びロック解除位置にそれぞれ位置決めする位置決め機構を備えている請求項１、２、３または４に記載の飲料容器の栓体。
【請求項６】
前記開閉機構は、
前記蓋部材に設けられた係止部と、
前記蓋部材を閉じることによって前記係止部に係合して前記蓋部材を全閉位置に位置決めする、前記係止部に対する係合を解除可能に前記口栓部材に取り付けられた開閉操作部材と、
前記開閉操作部材の全体または一部を、閉じた状態の前記蓋部材の係止部に係合する方向に付勢する付勢手段と
を有し、
前記開閉操作部材は、前記付勢手段によって付勢されている全体または一部を、前記付勢手段の付勢力に抗して押し込むことによって前記係止部に対する係合が解除されるようになっており、
前記ロック操作部材は、前記開閉操作部材が前記蓋部材の係止部に係合した状態でロック位置にスライドさせたときに、前記開閉操作部材の押込操作を阻止する押込規制部を有している請求項１、２、３、４または５に記載の飲料容器の栓体。
【考案の詳細な説明】
【技術分野】
【０００１】
この考案は、携帯用魔法瓶や水筒等の携帯用飲料容器に採用されている、容器本体に装着される口栓部材にヒンジを介して蓋部材が開閉可能に取り付けられた、直飲みタイプの飲料容器の栓体に関する。
【背景技術】
【０００２】
この種の栓体としては、例えば、特開２０１０−２４１４６１号公報に開示されたものがある。この栓体は、図７及び図８に示すように、容器本体６１に装着される口栓部材６２と、この口栓部材６２の後部にヒンジを介して片開き可能に取り付けられた蓋部材６３と、この蓋部材６３を開閉させる開閉機構６４と、蓋部材６３を閉状態にロックするロック機構６５とを備えている。
【０００３】
前記開閉機構６４は、蓋部材６３に設けられた係止部６４ａと、蓋部材６３を閉じることによって係止部６４ａに係合して蓋部材６３を全閉位置に位置決めする、口栓部材６２に出没自在に取り付けられた開閉操作部材６４ｂと、開閉操作部材６４ｂの全体を、閉じた状態の蓋部材６３の係止部６４ａに係合する方向に付勢するコイルバネ６４ｃとを有しており、開閉操作部材６４ｂを、コイルバネ６４ｃの付勢力に抗して押し込むことによって係止部６４ａに対する係合が解除されるようになっている。
【０００４】
前記ロック機構６５は、図９（ａ）、（ｂ）に示すように、ロック位置とロック解除位置との間で、周方向にスライド可能に口栓部材６２に取り付けられたロック操作部材６５ａを備えており、このロック操作部材６５ａは、開閉操作部材６４ｂが蓋部材６３の係止部６４ａに係合した状態でロック位置にスライドさせたときに、開閉操作部材６４ｂの押込操作を阻止する押込規制部６５ｂを有している。従って、ロック操作部材６５ａを周方向にスライドさせることで、蓋部材６３を閉状態にロックしたり、そのロックを解除したりすることができるようになっている。
【０００５】
前記口栓部材６２は、容器本体６１に螺着される内側部材６２ａと、この内側部材６２ａを覆う外側部材６２ｂとから構成されており、内側部材６２ａと外側部材６２ｂとの間に形成される空間内に、ロック機構６５を構成しているロック操作部材６５ａが収容されている。
【０００６】
前記外側部材６２ｂには、ロック操作部材６５ａの操作窓Ｗが形成されており、この操作窓Ｗに露出したロック操作部材６５ａの操作部６５ｃを操作することによって、ロック操作部材６５ａを、ロック位置とロック解除位置との間で、周方向にスライドさせるようになっている。
【先行技術文献】
【特許文献】
【０００７】
【特許文献１】特開２０１０−２４１４６１号公報
【考案の概要】
【考案が解決しようとする課題】
【０００８】
しかしながら、外側部材６２ｂに形成された操作窓Ｗは、指先の腹が接触する程度の大きさで比較的小さく、操作窓Ｗに露出している操作部６５ｃを指先で周方向に動かすことによってロック操作部材６５ａ全体をスライドさせなければならないので、指先にある程度の力が必要になり、ロック操作やロック解除操作がしづらいといった問題がある。
【０００９】
そこで、この考案の課題は、ロック操作部材を口栓部材の周方向にスライドさせることによって、蓋部材を閉状態にロックしたり、そのロックを解除したりするタイプの飲料容器の栓体において、ロック操作やロック解除操作を行いやすくすることにある。
【課題を解決するための手段】
【００１０】
上記の課題を解決するため、請求項１に係る考案は、容器本体に装着される口栓部材と、前記口栓部材にヒンジを介して開閉可能に取り付けられた蓋部材と、前記蓋部材を開閉させる開閉機構と、前記蓋部材を閉状態にロックするロック機構とを備え、前記ロック機構は、ロック位置とロック解除位置との間で、周方向にスライド可能に前記口栓部材に取り付けられたロック操作部材を有し、前記ロック操作部材の外周面は、前記口栓部材の全周の１／２以上が露出していることを特徴とする飲料容器の栓体を提供するものである。
【００１１】
また、請求項２に係る考案は、請求項１に係る考案の飲料容器の栓体において、前記ロック操作部材は、外周面における露出部分に、凹部、凸部または凹凸部が形成されていることを特徴としている。
【００１２】
また、請求項３に係る考案は、請求項１または２に係る考案の飲料容器の栓体において、前記口栓部材は、前記容器本体に螺着される内側部材と、前記内側部材を覆う外側部材とを備えており、前記外側部材は、所定間隔を開けて上下に配置され、外周面側で部分的に連結された上側環状部及び下側環状部を有し、前記ロック操作部材は、前記外側部材の上側環状部と下側環状部とに挟み込まれた状態で前記内側部材の外周面をスライド可能に支持されていることを特徴としている。
【００１３】
また、請求項４に係る考案は、請求項１、２または３に係る考案の飲料容器の栓体において、前記ロック操作部材が、環状に形成されていることを特徴としている。
【００１４】
また、請求項５に係る考案は、請求項１、２、３または４に係る考案の飲料容器の栓体において、前記開閉機構は、前記蓋部材に設けられた係止部と、前記蓋部材を閉じることによって前記係止部に係合して前記蓋部材を全閉位置に位置決めする、前記係止部に対する係合を解除可能に前記口栓部材に取り付けられた開閉操作部材と、前記開閉操作部材の全体または一部を、閉じた状態の前記蓋部材の係止部に係合する方向に付勢する付勢手段とを有し、前記開閉操作部材は、前記付勢手段によって付勢されている全体または一部を、前記付勢手段の付勢力に抗して押し込むことによって前記係止部に対する係合が解除されるようになっており、前記ロック操作部材は、前記開閉操作部材が前記蓋部材の係止部に係合した状態でロック位置にスライドさせたときに、前記開閉操作部材の押込操作を阻止する押込規制部を有していることを特徴としている。
【考案の効果】
【００１５】
以上のように、請求項１に係る考案の飲料容器の栓体は、ロック機構を構成している、ロック位置とロック解除位置との間で、周方向にスライド可能に口栓部材に取り付けられたロック操作部材の外周面が、口栓部材の全周の１／２以上露出しているので、露出している外周面を親指と人差し指で掴んでロック操作部材をスライド操作することができ、ロック操作部材を指先でスライド操作しなければならない従来の飲料容器の栓体に比べて、ロック及びロック解除の操作性に優れている。
【００１６】
また、請求項２に係る考案の飲料容器の栓体は、ロック操作部材の外周面における露出部分に、凹部、凸部または凹凸部が形成されているので、露出している外周面を親指と人差し指で掴んでロック操作部材をスライド操作する際、凹部、凸部または凹凸部の存在によってロック操作部材が滑りにくく、確実にスライド操作を行うことができる。
【００１７】
また、請求項３に係る考案の飲料容器の栓体は、口栓部材の外側部材を構成している、所定間隔を開けて上下に配置され、外周面側で部分的に連結された上側環状部及び下側環状部に挟み込まれた状態で、ロック操作部材が内側部材の外周面をスライド可能に支持されているので、口栓部材を掴む感覚でロック操作部材を掴んでスライド操作でき、使い勝手が良い。
【００１８】
また、請求項４に係る考案の飲料容器の栓体は、ロック操作部材が環状に形成されているので、口栓部材の内側部材に嵌め込むことで、口栓部材に容易に取り付けることができるという利点がある。
【００１９】
また、請求項５に係る考案の飲料容器の栓体は、ロック操作部材をロック位置及びロック解除位置にそれぞれ位置決めする位置決め機構を備えているので、ロック操作部材がロック位置やロック解除位置から中間位置に容易に移動することがなく、知らないうちにロックが解除されて飲料が漏れ出すといった不測の事態を防止することができる。
【図面の簡単な説明】
【００２０】
【図１】（ａ）はこの考案に係る栓体の一実施形態が容器本体に装着された飲料容器を示す部分正面図、（ｂ）は同上の飲料容器を示す部分側面図である。
【図２】図１（ａ）のＸ−Ｘ線に沿った断面図である。
【図３】同上の栓体を示す分解斜視図である。
【図４】（ａ）は同上の栓体を構成している口栓部材とロック操作部材との関係（ロック解除状態）を示す横断面図、（ｂ）は同上の口栓部材とロック操作部材との関係（ロック解除状態）を示す縦断面図である。
【図５】（ａ）は同上の栓体を構成している口栓部材とロック操作部材との関係（ロック状態）を示す横断面図、（ｂ）は同上の口栓部材とロック操作部材との関係（ロック状態）を示す縦断面図である。
【図６】（ａ）は同上の栓体を構成しているロック操作部材の位置決め機構（ロック解除状態）を示す斜視図、（ｂ）は同上の位置決め機構（ロック状態）を示す斜視図である。
【図７】従来の栓体が容器本体に装着された飲料容器を示す部分斜視図である。
【図８】同上の栓体を示す縦断面図である。
【図９】（ａ）は同上の栓体におけるロック解除状態を示す横断面図、（ｂ）は同上の栓体におけるロック状態を示す横断面図である。
【考案を実施するための形態】
【００２１】
以下、実施の形態について図面を参照して説明する。図１（ａ）、（ｂ）は、この考案に係る栓体１が容器本体ＣＢに装着された飲料容器の上部を示している。
【００２２】
前記栓体１は、図１〜図３に示すように、容器本体ＣＢに装着される口栓部材１０と、この口栓部材１０にヒンジ１ａを介して開閉可能に取り付けられた蓋部材２０と、この蓋部材２０を開閉させる開閉機構３０と、蓋部材２０を閉状態にロックするロック機構４０とを備えており、蓋部材２０はヒンジ１ａ部分に取り付けられた一対のねじりバネ１ｂによって、常時、開方向に付勢されている。
【００２３】
前記口栓部材１０は、同図に示すように、容器本体ＣＢの小径の口部に取り付けられるベース部材１１と、このベース部材１１に嵌着された、上下に区画する隔壁１５を有する筒状の口部材１４とを備えており、隔壁１５は、その前面側に容器本体ＣＢ内の液体飲料を注出するための注出孔１６が形成されている。
【００２４】
前記ベース部材１１は、容器本体ＣＢの口部に螺合される円筒状の内側部材１２と、この内側部材１２の外周面を覆う外側部材１３とを備えており、外側部材１３は、所定間隔を開けて上下に配置された上側環状部１３ａ及び下側環状部１３ｂと、上側環状部１３ａ及び下側環状部１３ｂを前方側で部分的に連結する、上側環状部１３ａ及び下側環状部１３ｂの外周面から外側に張り出した正面略Ｕ字状の連結部１３ｃとを有している。
【００２５】
前記口栓部材１０を容器本体ＣＢの口部に装着した状態では、口部材１４の下半部が、容器本体ＣＢの口部内に入り込んでおり、口部材１４の下部外周面に形成されたフランジ部１７と、容器本体ＣＢの口部の基端部との間にリング状のパッキン１８を挟み込むことによって、口栓部材１０の口部材１４と容器本体ＣＢとがシールされるようになっている。
【００２６】
前記蓋部材２０は、図１〜図３に示すように、円形状の天板の周縁部に周壁が連設された蓋本体２１と、この蓋本体２１の天板の内面に固着された、蓋部材２０を閉じたときに口栓部材１０の口部材１４内に入り込む閉塞部２２と、この閉塞部２２に嵌着されるパッキン２３とを備えており、蓋部材２０を閉じたときに、パッキン２３が嵌着された閉塞部２２によって、口部材１４の隔壁１５に形成された注出孔１６が密閉されるようになっている。
【００２７】
前記開閉機構３０は、蓋部材２０における蓋本体２１の周壁の前面側に突出する円弧状の区画壁２１ａによって囲われた収容部の下端部に形成された係止爪３１と、蓋本体２１の区画壁２１ａに対応するように、口栓部材１０のベース部材１１を構成している外側部材１３の上側環状部１３ａ及び下側環状部１３ｂの前面側に突出する連結部１３ｃによって上部を除く三方が囲われた収容部内で、連結部１３ｃに揺動自在に軸支された、係止爪３１に係合可能な係合凹部３３を上部に有する開閉操作部材３２と、外側部材１３の収容部と開閉操作部材３２との間に配設された、開閉操作部材３２における揺動軸３４よりも下側部分を外側（前方側）に付勢するコイルバネ３５とを備えており、開閉操作部材３２は、その係合凹部３３が形成された上部が外側部材１３の連結部１３ｃによって囲われた収容部の上方側に張り出している。
【００２８】
従って、開いた状態の蓋部材２０を閉じると、口栓部材１０に取り付けた開閉操作部材３２の係合凹部３３よりも上端側が、蓋部材２０に形成された係止爪３１に接触することによって、開閉操作部材３２の上端部が外側に押し広げられながら係止爪３１を乗り越えて係合凹部３３が係止爪３１に係合し、これによって蓋部材２０が全閉位置に位置決めされるようになっている（図２参照）。
【００２９】
また、蓋部材２０が全閉位置に位置決めされた状態で、コイルバネ３５の付勢力に抗して開閉操作部材３２の下部を押し込むと、開閉操作部材３２が回動して係止爪３１に対する係合凹部３３の係合が解除されるので、ねじりバネ１ｂの付勢力によって、蓋部材２０が全開位置まで開くようになっている。
【００３０】
前記ロック機構４０は、図３〜図６に示すように、口栓部材１０のベース部材１１を構成している内側部材１２に外嵌めされた、外側部材１３と略同一周長を有する環状のロック操作部材４１を有しており、このロック操作部材４１は、外側部材１３の上側環状部１３ａと下側環状部１３ｂとに挟み込まれた状態で、ロック位置とロック解除位置との間で周方向にスライド可能に支持されている。
【００３１】
前記ロック操作部材４１は、その外周面が口栓部材１０のベース部材１１を構成している外側部材１３の上側環状部１３ａ及び下側環状部１３ｂの外周面と略同一曲面を有しており、外側部材１３の連結部１３ｃを除く、上側環状部１３ａ及び下側環状部１３ｂに対応する部分（外側部材１３の全周の９０％弱）が露出している。
【００３２】
前記ロック操作部材４１の外周面には、周方向に所定間隔を開けて形成された上下方向に延びる一対の凸部４１ａと、この一対の凸部４１ａ間に形成された凹部４１ｂとを備えており、この凸部４１ａ及び凹部４１ｂが、ロック操作部材４１を周方向にスライド操作する際の滑り止めの機能を果たしている。
【００３３】
前記ロック操作部材４１は、図３及び図６（ａ）、（ｂ）に示すように、上端部及び下端部がそれぞれ内側に張り出しており、その張出部の先端縁がベース部材１１を構成している内側部材１２の外周面に摺接している。ロック操作部材４１の上下の張出部には、図４（ａ）及び図５（ａ）に示すように、ロック操作部材４１の後面側に所定幅の切欠凹部４１ｃが形成されており、この切欠凹部４１ｃ内に内側部材１２の外周面に連設された上下方向に延びる突条１２ａが張り出すことで、ロック操作部材４１がロック位置とロック解除位置との間でスライドするように、ロック操作部材４１のスライド範囲が規制されている。
【００３４】
前記ロック操作部材４１は、蓋部材２０の係止爪３１が開閉操作部材３２の係合凹部３３に係合した状態でロック位置にスライドさせたときに、開閉操作部材３２の押込操作を阻止する押込規制部４２を有しており、この押込規制部４２が開閉操作部材３２の一側部に連設された内側に突出する凸部３２ａに当接することで、開閉操作部材３２の押込操作が阻止されるようになっている（図５（ａ）、（ｂ）参照）。
【００３５】
この栓体１は、ロック操作部材４１の押込規制部４２をロック位置及びロック解除位置にそれぞれ位置決めする位置決め機構５０を備えており、この位置決め機構５０は、ベース部材１１を構成している内側部材１２とロック操作部材４１との間に収容された状態で内側部材１２に保持された樹脂ばね５１と、この樹脂ばね５１に係合する、ロック操作部材４１の内面から内側に突出する嵌合凸部５３とから構成されている。
【００３６】
前記樹脂ばね５１は、内側部材１２の周方向の一端側に相互に接近離反可能に弾性変形する二股部５２を有しており、この二股部５２の内縁には、先端部に内側に張り出す対向する２組の突起５２ａ、５２ｂが形成されている。
【００３７】
従って、図４（ａ）、（ｂ）及び図６（ａ）に示すように、ロック操作部材４１をロック解除位置にスライドさせたときに、嵌合凸部５３の上下端部が二股部５２を変形させながら突起５２ａを乗り越えて突起５２ａ、５２ｂ間の凹部に嵌合し、これによって、ロック操作部材４１がロック解除位置（押込規制部４２が開閉操作部材３２の凸部３２ａから離反した位置）に位置決めされる。
【００３８】
また、図５（ａ）、（ｂ）及び図６（ｂ）に示すように、ロック操作部材４１をロック位置にスライドさせたときには、嵌合凸部５３の上下端部が二股部５２を変形させながら突起５２ｂを乗り越えて突起５２ｂにおける二股部５２の基端部側の側縁に係合し、これによって、ロック操作部材４１がロック位置（押込規制部４２が開閉操作部材３２の凸部３２ａに当接した位置）に位置決めされる。
【００３９】
以上のように、この飲料容器の栓体１は、ロック機構４０を構成している、口栓部材１０の外側部材１３と略同一周長を有する環状のロック操作部材４１の外周面が、外側部材１３の連結部１３ｃを除く、上側環状部１３ａ及び下側環状部１３ｂに対応する部分（外側部材１３の全周の９０％弱）が露出しているので、露出しているロック操作部材４１の外周面を親指と人差し指で掴んでロック操作部材をスライド操作することができ、ロック操作部材を指先でスライド操作しなければならない従来の飲料容器の栓体に比べて、ロック及びロック解除の操作性に優れている。
【００４０】
また、この栓体１は、ロック操作部材４１の外周面における露出部分に、一対の凸部４１ａ及び凹部４１ｂが形成されているので、露出している外周面を親指と人差し指で掴んでロック操作部材をスライド操作する際、凸部４１ａ及び凹部４１ｂの存在によってロック操作部材４１が滑りにくく、確実にスライド操作を行うことができると共に、例えば、親指の腹を凹部４１ｂに沿わせることで、指一本でのスライド操作も可能である。
【００４１】
また、この栓体１は、口栓部材１０の外側部材１３を構成している上側環状部１３ａ及び下側環状部１３ｂに挟み込まれた状態で、ロック操作部材４１が内側部材１２の外周面をスライド可能に支持されているので、口栓部材１０を掴む感覚でロック操作部材４１を掴んでスライド操作でき、使い勝手が良い。
【００４２】
また、ロック操作部材が上下方向にスライドするタイプの口栓では、飲料容器をかばん等に入れる際、ロック操作部材がかばん内の収容物品等に引っかかってスライドし、ロックが解除されるおそれがあるが、この栓体１では、ロック操作部材４１が口栓部材１０の周方向にスライドするようになっているので、飲料容器をかばん等に入れる際にロック操作部材４１のロックが解除されにくく、かばん内で飲料が漏れ出すといった不測の事態を最小限に抑えることができる。
【００４３】
また、この栓体１は、ロック操作部材４１が環状に形成されているので、口栓部材１０の内側部材１２に嵌め込むことで、口栓部材１０に容易に取り付けることができ、栓体１の構造が単純化されるという利点がある。
【００４４】
また、この栓体１は、ロック操作部材４１をロック位置及びロック解除位置にそれぞれ位置決めする位置決め機構５０を備えているので、ロック操作部材４１がロック位置やロック解除位置から中間位置に容易に移動することがなく、知らないうちにロックが解除されて飲料が漏れ出すといった不測の事態を防止することができる。
【００４５】
なお、上述した実施形態では、ロック操作部材４１の外周面が、上側環状部１３ａ及び下側環状部１３ｂに対応する部分（外側部材１３の全周の９０％弱）が露出しているが、これに限定されるものではなく、親指と人差し指で掴んでロック操作部材４１をスライド操作することができるためには、ロック操作部材４１の外周面は口栓部材１０の全周の少なくとも１／２が露出していればよい。
【００４６】
また、上述した実施形態では、環状のロック操作部材４１を採用しているが、これに限定されるものではなく、円弧状のロック操作部材を採用することも可能である。ただし、ロック操作部材４１の外周面を口栓部材１０の全周の１／２以上露出させる必要があるので、その全長は、口栓部材１０の周長の１／２を上回っていなければならないことはいうまでもない。
【００４７】
また、上述した実施形態では、ロック操作部材４１をスライド操作する際に滑りにくくするために、ロック操作部材４１の外周面に、周方向に所定間隔を開けて上下方向に延びる一対の凸部４１ａを形成すると共に、この一対の凸部４１ａ間に凹部４１ｂを形成しているが、これに限定されるものではなく、凹部及び凸部のいずれか一方を形成してもよく、露出している外周面全体に細かい凹凸を形成してもよい。
【００４８】
また、上述した実施形態では、開閉操作部材３２が、口栓部材１０のベース部材１１を構成している外側部材１３の連結部１３ｃに揺動自在に軸支されているが、これに限定されるものではなく、開閉操作部材全体が口栓部材に出没自在に取り付けられていてもよい。
【００４９】
また、上述した実施形態では、ロック操作部材４１を反時計回りにスライドさせるとロックされ、時計回りにスライドさせるとロックが解除されるようになっているが、これに限定されるものではなく、ロック操作部材４１を時計回りにスライドさせるとロックされ、反時計回りにスライドさせるとロックが解除されるように構成することも可能である。
【産業上の利用可能性】
【００５０】
本考案は、携帯用魔法瓶や水筒等の携帯用飲料容器等の飲料容器の栓体として利用することができる。
【符号の説明】
【００５１】
１  栓体
１ａ  ヒンジ
１ｂ  ねじりバネ
１０  口栓部材
１１  ベース部材
１２  内側部材
１２ａ  突条
１３  外側部材
１３ａ  上側環状部
１３ｂ  下側環状部
１３ｃ  連結部
１４  口部材
１５  隔壁
１６  注出孔
１７  フランジ部
１８  パッキン
２０  蓋部材
２１  蓋本体
２１ａ  区画壁
２２  閉塞部
２３  パッキン
３０  開閉機構
３１  係止爪（係止部）
３２  開閉操作部材
３２ａ  凸部
３３  係合凹部
３４  揺動軸
３５  コイルバネ
４０  ロック機構
４１  ロック操作部材
４１ａ  凸部
４１ｂ  凹部
４１ｃ  切欠凹部
４２  押込規制部
５０  位置決め機構
５１  樹脂ばね
５２  二股部
５２ａ、５２ｂ  突起
５３  嵌合凸部
ＣＢ  容器本体
【図１】
0003193262.tif 000003
【図２】
0003193262.tif 000004
【図３】
0003193262.tif 000005
【図４】
0003193262.tif 000006
【図５】
0003193262.tif 000007
【図６】
0003193262.tif 000008
【図７】
0003193262.tif 000009
【図８】
0003193262.tif 000010
【図９】
0003193262.tif 000011